(57)【特許請求の範囲】
【請求項１】
基板上に実装された部品の下面に充填材を充填する方法であって、
封止治具を、該部品の外周より小型の外周を持つ弾性材にて構成し、該封止治具にて該部品の周囲を覆い充填する範囲を規制した後、充填器具、及び排気パイプを該封止治具及び該部品間に装着し、充填材を充填器具により強制的に充填し、封止治具の取り外し工程を省いて充填材を硬化させることを特徴とする充填材の充填方法。
【請求項２】
請求項１に記載の充填方法であって、
基板を傾斜させ、充填口あるいは充填器具を下方に設置し、排気口あるいは排気パイプを上方に設置して、強制充填することを特徴とする充填材の充填方法。
【請求項３】
請求項１に記載の充填方法であって、
排気口から強制排気することを特徴とする充填材の充填方法。
【発明の詳細な説明】
【０００１】
【発明の属する技術分野】
本発明は、プリント板ユニット製造における基板への部品の実装工程に関し、特に、部品と基板の接合部の信頼性を向上させる目的で使用する補強用充填材の充填に関する。
【０００２】
かかる充填においては、短時間で、部品と基板の間に十分に充填し、且つ周囲のテストパッド／部品に充填材が付着しないことが要求されている。
【０００３】
【従来の技術】
従来、部品と基板の接合部の補強のため、充填材を充填器具から押し出し、基板上に実装された部品の下面に充填している。
【０００４】
図７は、部品２と基板１の間隙Ｄ０が適度に狭い場合、例えば  ０．５ｍｍ程度の例で、標準的なエポキシ樹脂の充填材７（粘度２４Ｐａ・ｓ程度）を用いた場合を示す。この場合、充填材７は、部品２と基板１間の毛細管現象により部品２下部に引き寄せられ、常温下３分程度で、部品幅１０ｍｍを浸透させ、部品２と基板１の間を十分に満たす充填が可能である。
【０００５】
しかし、セラミックパッケージのボールグリッドアレイを用いた部品等においては、図８に示す如く、部品２と基板１の間隙Ｄ０が、例えば  ０．８ｍｍ程度と広く、毛細管現象による充填材７の引き込みが困難であるため、部品２周囲を回るように充填している。この場合、一度充填を行い、充填材７を部品２下部へ浸透させるため数分放置後、再度充填を行っている。
【０００６】
【発明が解決しようとする課題】
従来の充填方法においては、放置工程を含むため時間を要する上に、部品２下部に気泡が残留し、補強が不完全なため、十分な信頼性が得られない。
【０００７】
また、部品周囲への充填材７のダレが発生し、部品外周より１０ｍｍ程度の範囲で周囲部品へ充填材７が付着するため、テストパッドの使用制限や部品のリペア作業に支障を与えるという問題がある。
【０００８】
本発明は、かかる問題を解決し、短時間で部品下部の十分な充填を行い、且つ部品周囲のテストパッドや部品に充填材が付着することを防止することを目的とする。
【０００９】
【課題を解決するための手段】
本発明では、上記課題を解決するために、充填口及び排気口を備えた、部品の周囲を覆う封止治具を用い、充填材を強制的に充填することを特徴とする。
【００１０】
【発明の実施の形態】
図１は本発明の充填方法の実施例である。封止治具３を、部品２端面と基板１の間に隙間ができないように設置し、充填器具６を充填口４に装着し、排気口５から充填材７があふれるまで充填を行う。充填完了後、充填器具６を封止治具３から抜き取り、充填材７を硬化させる。充填材７硬化後、封止治具３を部品２周囲から取り外す。
【００１１】
これにより、一回の充填で、すなわち短時間で十分な充填を行い、かつ部品周囲への充填材７の付着をなくすことが可能となる。
【００１２】
本発明の封止治具の材料として、充填材、例えばエポキシ系の充填材７と離型性の良い材料、例えばフッ素系の樹脂にて構成することにより、充填材７硬化後、封止治具３の取り外しが容易となる。
【００１３】
図２は、二層構造の封止治具３の実施例であり、封止治具３本体は金属板で構成し、表面にフッ素系の樹脂を貼りつけた構成であることを特徴とする。封止治具の構造材として金属板を用い、表面はフッ素系の樹脂とする構成により、取り外しが容易な封止治具を安価に構成できる。
【００１４】
図３は、弾性材による封止治具を用いた充填方法の実施例である。本実施例では、弾性材による封止治具１３の外周Ｌ１、及び幅Ｄ１を、部品２の外周Ｌ０より小型で、部品２と基板１の間隙Ｄ０よりも幅の広いリング状、あるいは枠状の弾性材にて構成し、封止治具１３を、部品２周囲と基板１間を覆うように設置する。充填材７の充填は、弾性材による封止治具１３を押し広げて充填口、及び排気口とし、充填器具６及び排気パイプ１５を装着し、実施する。充填材７を充填した後、充填器具６と排気パイプ１５を引き抜き、弾性材による封止治具１３の収縮力によって封止する。
【００１５】
ここで用いる充填器具及び排気パイプの断面は、図４に示す如く、弾性材による封止治具１３と部品２の間の隙間を小さくする形状、例えば半円形であることが望ましい。
【００１６】
本実施例の封止治具は場所をとらないため、封止治具を装着した状態で充填作業完了としても良い。
【００１７】
充填後、弾性材による封止治具１３を取り外す場合は、弾性材の材料として、充填材、例えばエポキシ系の充填材７と離型性の良い材料、例えばフッ素ゴムを用いることにより充填材７硬化後、封止治具３の取り外しが容易となる。
【００１８】
図５は、上記各実施例において、基板１を傾斜させた他の実施例である。充填口４が下方に、排気口５が上方にくるように基板１を傾斜させることにより、充填材７の自重により充填材７が下方から充填されるため、部品２下部の気泡残留を防ぐ効果を高めることが可能となる。
【００１９】
上記の各実施例において、排気口５、あるいは排気パイプ１５に真空ポンプ等の強制排気手段を接続し、充填前から、あるいは充填と同時に部品２下部の排気を行い、充填後解除することにより、充填速度を高めても部品２下部の気泡残留を防ぐことが可能となる。
【００２０】
また、弾性材による封止治具１３の形状を、図６の如く充填器具及び排気パイプの形状に合わせた形状とすることで密閉性をあげ、排気効果を高めることが可能となる。
【００２１】
本発明の封止治具を用い、充填すべき範囲を規制することで部品周囲への充填材のダレによる付着を防止し、充填器具により充填口から、即ち一方向から強制的に充填することで、短時間で部品下部の気泡残留のない充填が可能となる。また、部品下部の強制排気を行うことで、充填速度をさらに高めることが可能となる。
【００２２】
【発明の効果】
従来、充填作業時間：２０分（充填率：７０％、充填材のダレによるテストパッドと部品に充填材が付着する範囲：周囲１０ｍｍ）であったものを、
充填作業時間：３分（充填率：１００％、充填材のダレによるテストパッドと部品に充填材が付着する範囲：周囲０ｍｍ）とすることが可能となる。
【００２３】
また、弾性材による封止治具を装着した状態で充填作業完了とした場合、充填材硬化工程、封止治具の取り外し工程を省くことで、大幅な作業時間の短縮が可能となる。
【図面の簡単な説明】
【図１】本発明での充填方法
【図２】二層構造の封止治具の実施例
【図３】弾性材による封止治具を用いた充填方法
【図４】充填器具及び排気パイプの断面が半円形の例
【図５】基板を傾斜させた本発明の実施例
【図６】弾性材による封止治具の他の実施例
【図７】部品と基板の間隙が適度に狭い場合
【図８】部品と基板の間隙が広い場合
【符号の説明】
１  基板
２  部品
３  封止治具
４  充填口
５  排気口
６  充填器具
７  充填材
１３  弾性材による封止治具
１５  排気パイプ
Ｄ０  部品と基板の間隙
Ｄ１  弾性材による封止治具の幅
Ｌ０  部品の外周
Ｌ１  弾性材封止治具の外周
【図１】
0003620349.tif 000002
【図２】
0003620349.tif 000003
【図３】
0003620349.tif 000004
【図４】
0003620349.tif 000005
【図５】
0003620349.tif 000006
【図６】
0003620349.tif 000007
【図７】
0003620349.tif 000008
【図８】
0003620349.tif 000009